【手続補正書】
【提出日】平成28年11月25日(2016.11.25)
【手続補正１】
【補正対象書類名】特許請求の範囲
【補正対象項目名】全文
【補正方法】変更
【補正の内容】
【特許請求の範囲】
【請求項１】
物体側より像側へ順に配置された、正の屈折力の第１レンズ群、負の屈折力の第２レンズ群、正の屈折力の第３レンズ群、１以上のレンズ群を含む後群により構成され、ズーミングに際して隣り合うレンズ群の間隔が変化するズームレンズにおいて、
広角端に比べて望遠端において、前記第１レンズ群は物体側に位置しており、
前記第１レンズ群は、少なくとも４枚のレンズを有し、
前記第１レンズ群に含まれる正レンズの材料のアッベ数をνｄ１Ｐとして、前記第１レンズ群は、
８５．０＜νｄ１Ｐ＜１００．０
なる条件式を満足する材料を用いた正レンズを１枚以上有し、
広角端における全系の焦点距離をｆＷ、広角端から望遠端へのズーミングにおける前記第１レンズ群の光軸上の移動量をＭ１としたとき、
５．０＜Ｍ１／ｆＷ＜４０．０
なる条件式を満足することを特徴とするズームレンズ。
【請求項２】
前記第１レンズ群に配置された正レンズの中で、
８５．０＜νｄ１Ｐ＜１００．０
なる条件式を満足する材料を用いた正レンズの材料の部分分散比をθｇＦ１Ｐとしたとき、
０．５２０＜θｇＦ１Ｐ＜０．５８０
なる条件式を満足することを特徴とする請求項１に記載のズームレンズ。
【請求項３】
前記第２レンズ群と前記第３レンズ群の間に、ズーミングに際して各レンズ群とは異なる軌跡で移動する開口絞りを有し、
広角端における前記開口絞りと前記第３レンズ群の光軸上の間隔をＤＷ、望遠端における前記開口絞りと前記第３レンズ群の光軸上の間隔をＤＴとしたとき、
１０．０＜ＤＷ／ＤＴ＜１００．０
なる条件式を満足することを特徴とする請求項１または２に記載のズームレンズ。
【請求項４】
前記第１レンズ群の焦点距離をｆ１としたとき、
１５．０＜ｆ１／ｆＷ＜４０．０
なる条件式を満足することを特徴とする請求項１乃至３のいずれか１項に記載のズームレンズ。
【請求項５】
前記第１レンズ群の焦点距離をｆ１、望遠端における全系の焦点距離をｆＴとしたとき、
２．０＜ｆＴ／ｆ１＜６．０
なる条件式を満足することを特徴とする請求項１乃至４のいずれか１項に記載のズームレンズ。
【請求項６】
前記第１レンズ群の焦点距離をｆ１、前記第２レンズ群の焦点距離をｆ２としたとき、７．０＜ｆ１／｜ｆ２｜＜２０．０
なる条件式を満足することを特徴とする請求項１乃至５のいずれか１項に記載のズームレンズ。
【請求項７】
前記第１レンズ群の焦点距離をｆ１、前記第３レンズ群の焦点距離をｆ３としたとき、３．０＜ｆ１／ｆ３＜１０．０
なる条件式を満足することを特徴とする請求項１乃至６のいずれか１項に記載のズームレンズ。
【請求項８】
前記第２レンズ群の焦点距離をｆ２、望遠端における全系の焦点距離をｆＴとしたとき、
０．０１０＜｜ｆ２｜／ｆＴ＜０．０３０
なる条件式を満足することを特徴とする請求項１乃至７のいずれか１項に記載のズームレンズ。
【請求項９】
前記第１レンズ群は、物体側より像側へ順に、負レンズ、正レンズ、正レンズ、正レンズを有することを特徴とする請求項１乃至８のいずれか１項に記載のズームレンズ。
【請求項１０】
前記第１レンズ群に配置された正レンズの中で、
８５．０＜νｄ１Ｐ＜１００．０
なる条件式を満足する材料を用いた正レンズの物体側のレンズ面の曲率半径をＲ１、像側のレンズ面の曲率半径をＲ２としたとき、
−１．００＜（Ｒ１−Ｒ２）／（Ｒ１＋Ｒ２）＜０．００
なる条件式を満足することを特徴とする請求項１乃至９のいずれか１項に記載のズームレンズ。
【請求項１１】
前記第１レンズ群に配置された負レンズの材料の部分分散比をθｇＦ１Ｎ、アッベ数をνｄ１Ｎとしたとき、
３５．０＜νｄ１Ｎ＜５０．０
０．５２０＜θｇＦ１Ｎ＜０．７５０
θｇＦ１Ｎ＜−０．００２０３×νｄ１Ｎ＋０．６５６
なる条件式を満足することを特徴とする請求項１乃至１０のいずれか１項に記載のズームレンズ。
【請求項１２】
前記第１レンズ群に配置された負レンズの材料の屈折率をｎｄ１Ｎとしたとき、
１．７５＜ｎｄ１Ｎ＜２．１０
なる条件式を満足することを特徴とする請求項１乃至１１のいずれか１項に記載のズームレンズ。
【請求項１３】
前記第２レンズ群は、負レンズを３枚以上有することを特徴とする請求項１乃至１２のいずれか１項に記載のズームレンズ。
【請求項１４】
前記後群は、正の屈折力の第４レンズ群から成ることを特徴とする請求項１乃至１３のいずれか１項に記載のズームレンズ。
【請求項１５】
前記後群は、正の屈折力の第４レンズ群と正の屈折力の第５レンズ群から成ることを特徴とする請求項１乃至１３のいずれか１項に記載のズームレンズ。
【請求項１６】
前記後群は、正の屈折力の第４レンズ群と負の屈折力の第５レンズ群から成ることを特徴とする請求項１乃至１３のいずれか１項に記載のズームレンズ。
【請求項１７】
前記後群は、負の屈折力の第４レンズ群と正の屈折力の第５レンズ群から成ることを特徴とする請求項１乃至１３のいずれか１項に記載のズームレンズ。
【請求項１８】
請求項１乃至１７のいずれか１項に記載のズームレンズと、該ズームレンズによって形成される像を受光する固体撮像素子とを有することを特徴とする撮像装置。
【手続補正２】
【補正対象書類名】明細書
【補正対象項目名】０００７
【補正方法】変更
【補正の内容】
【０００７】
本発明のズームレンズは、物体側より像側へ順に配置された、正の屈折力の第１レンズ群、負の屈折力の第２レンズ群、正の屈折力の第３レンズ群、１以上のレンズ群を含む後群により構成され、ズーミングに際して隣り合うレンズ群の間隔が変化するズームレンズにおいて、広角端に比べて望遠端において、前記第１レンズ群は物体側に位置しており、前記第１レンズ群は、少なくとも４枚のレンズを有し、前記第１レンズ群に含まれる正レンズの材料のアッベ数をνｄ１Ｐとして、前記第１レンズ群は、
８５．０＜νｄ１Ｐ＜１００．０
なる条件式を満足する材料を用いた正レンズを１枚以上有し、広角端における全系の焦点距離をｆＷ、広角端から望遠端へのズーミングにおける前記第１レンズ群の移動量をＭ１、としたとき、
５．０＜｜Ｍ１｜／ｆＷ＜４０．０
なる条件式を満足することを特徴とする。
【手続補正３】
【補正対象書類名】明細書
【補正対象項目名】００５１
【補正方法】変更
【補正の内容】
【００５１】
さらに、各実施例において、次の条件式のうち１つ以上を満足することがより好ましい。ここで、第１レンズ群Ｌ１の焦点距離をｆ１、第２レンズ群Ｌ２の焦点距離をｆ２、第３レンズ群Ｌ３の焦点距離をｆ３、望遠端における全系の焦点距離をｆＴ、広角端における開口絞りＳＰと第３レンズ群Ｌ３の光軸上の間隔をＤＷとする。さらに、望遠端における開口絞りＳＰと第３レンズ群Ｌ３の光軸上の間隔をＤＴ、第１レンズ群Ｌ１に配置された正レンズの物体側のレンズ面の曲率半径をＲ１、像側のレンズ面の曲率半径をＲ２とする。また、第１レンズ群Ｌ１に配置された負レンズの材料の部分分散比をθｇＦ１Ｎ、アッベ数をνｄ１Ｎ、屈折率をｎｄ１Ｎとしたとき、
１０．０＜ＤＷ／ＤＴ＜１００．０  …（４）
１５．０＜ｆ１／ｆＷ＜４０．０  …（５）
２．０＜ｆＴ／ｆ１＜６．０  …（６）
７．０＜ｆ１／｜ｆ２｜＜２０．０  …（７）
３．０＜ｆ１／ｆ３＜１０．０  …（８）
０．０１０＜｜ｆ２｜／ｆＴ＜０．０３９０  …（９）
−１．００＜（Ｒ１−Ｒ２）／（Ｒ１＋Ｒ２）＜０．００  …（１０）
０．５２０＜θｇＦ１Ｎ＜０．７５０  …（１１）
３５．０＜νｄ１Ｎ＜５０．０  …（１２）
θｇＦ１Ｎ＜−０．００２０３×νｄ１Ｎ＋０．６５６  …（１３）
１．７５＜ｎｄ１Ｎ＜２．１０  …（１４）
なる条件式のうち１つ以上を満足するのがよい。
【手続補正４】
【補正対象書類名】明細書
【補正対象項目名】００６８
【補正方法】変更
【補正の内容】
【００６８】
また、好ましくは条件式（４）乃至（１２）、（１４）の数値範囲を次の如く設定すると、各条件式がもたらす効果を最大限に得られる。
１５．０＜ＤＷ／ＤＴ＜８０．０  …（４ａ）
１８．０＜ｆ１／ｆＷ＜３７．０  …（５ａ）
２．３＜ｆＴ／ｆ１＜５．０  …（６ａ）
８．０＜ｆ１／｜ｆ２｜＜１７．０  …（７ａ）
３．５＜ｆ１／ｆ３＜９．０  …（８ａ）
０．０１５＜｜ｆ２｜／ｆＴ＜０．０２９  …（９ａ）
−０．９８＜（Ｒ１−Ｒ２）／（Ｒ１＋Ｒ２）＜−０．３０  …（１０ａ）
０．５４０＜θｇＦ１Ｎ＜０．７００  …（１１ａ）
３５．０＜νｄ１Ｎ＜４５．０  …（１２ａ）
１．８０＜ｎｄ１Ｎ＜２．００  …（１４ａ）
【手続補正５】
【補正対象書類名】明細書
【補正対象項目名】００６９
【補正方法】変更
【補正の内容】
【００６９】
また、更に好ましくは条件式（４）乃至（１２）、（１４）の数値範囲を次の如く設定するのが良い。
１６．０＜ＤＷ／ＤＴ＜６０．０  …（４ｂ）
２０．０＜ｆ１／ｆＷ＜３５．０  …（５ｂ）
２．４＜ｆＴ／ｆ１＜４．５  …（６ｂ）
９．０＜ｆ１／｜ｆ２｜＜１５．５  …（７ｂ）
３．９＜ｆ１／ｆ３＜８．２  …（８ｂ）
０．０２０＜｜ｆ２｜／ｆＴ＜０．０２８  …（９ｂ）
−０．９５＜（Ｒ１−Ｒ２）／（Ｒ１＋Ｒ２）＜−０．４０  …（１０ｂ）
０．５６０＜θｇＦ１Ｎ＜０．６８０  …（１１ｂ）
３５．０＜νｄ１Ｎ＜４２．０  …（１２ｂ）
１．８７＜ｎｄ１Ｎ＜１．９５  …（１４ｂ）